(57)【要約】    【課題】書類ホルダなどのシート状対象物に対して、簡単に取り付け取り外しができ、リーダー・ライタによる読み取りや書き込みも容易なＲＦＩＤタグを提供する。    【解決手段】タグを形成する本体（２，３）と、ＩＣチップ（５）と、前記本体（２，３）の外部表面側に設けられた前記ＩＣチップの収納室（２４）と、前記本体（２，３）に取り付けられたクリップ（４）からなる。前記本体（２，３）と前記クリップ（４）との間でシート状対象物（Ｈ１，Ｈ２）の挟み込みが可能である。前記クリップ（４）を本体に取り付けるため、本体は、上下に２分割したブロック（２，３）としておき、前記クリップ（４）を組み込んだ後で、上下ブロックを一体化させることが好ましい。【選択図】図３
2009126030.tif 000002
【特許請求の範囲】
【請求項１】
タグを形成する本体（２，３）と、前記本体（２，３）に取り付けられたクリップ（４）とＩＣチップ（５）からなり、
前記本体（２，３）と前記クリップ（４）との間でシート状対象物（Ｈ１，Ｈ２）の挟み込みが可能であることを特徴とするシート状対象物に取付可能なＲＦＩＤタグ。
【請求項２】
前記ＩＣチップ（５）が前記本体（２，３）に設けられた前記ＩＣチップの収納室（２４）に収容されているＲＦＩＤタグ。
【請求項３】
前記クリップ（４）が、交差して楕円を形成する部分とその両末端（４１）からなる針金である請求項１又は２記載のＲＦＩＤタグ。
【請求項４】
前記針金状クリップ（４）を前記本体に取り付けるため、前記本体は、上下に２分割したブロック（２，３）としておき、前記クリップ（４）を組み込んだ後で、この上下ブロックを一体化させるものである請求項３記載のＲＦＩＤタグ。
【請求項５】
前記上ブロック（２）が、上側表面部（２１）と、この上側表面部の前方中央から下方に延びる前方垂下部（２２）と、上側表面部の左右後方から下方に延びる後方垂下部（２３）からなり、前記下ブロック（３）が、上方中央に窪みを有する本体部（３２）と、この本体部の左右から起立する２つの突起部（３３）からなり、
前記前方垂下部（２２）には、前方側に小さな窪み（２２２）が形成され、前記左右後方垂下部（２３）にも、それぞれ前方側に小さな窪み（２３１）が形成され、
前記本体部（３２）には前記クリップ（４）を形成する針金の両末端（４１）が収納可能な通路（３４）が形成されており、前記本体部（３２）の中央正面には、前記前方垂下部の窪み（２２２）と係合可能な抜け止め（３５）が形成され、前記２つの突起部の双方にも、前記後方垂下部の窪み（２３１）と係合可能な抜け止め（３６）が形成されている請求項４記載のＲＦＩＤタグ。
【請求項６】
前記上側表面部（２１）に前記ＩＣチップの収納室（２４）となる内部空間が形成されている請求項５記載のＲＦＩＤタグ。
【請求項７】
前記上側表面部（２１）に前記ＩＣチップ（５）を貼り付けた請求項５記載のＲＦＩＤタグ。
【発明の詳細な説明】
【技術分野】
【０００１】
本発明は、シート状対象物に取付可能なＲＦＩＤタグに関する。
【背景技術】
【０００２】
ＲＦＩＤタグは、物体の識別に利用される微小な無線ICチップを組み込んだタグである。無線ICチップには、自身の識別コードなどの情報が記録されており、電波を使って管理システムと情報を送受信する能力をもつので、産業界においてバーコードに代わる商品識別・管理技術として研究が進められている。最近は、それに留まらず社会のIT化・自動化を推進する上での基盤技術として注目が高まっている。
【０００３】
ＲＦＩＤタグには、ラベル型、カード型、コイン型、スティック型など様々であり、用途に応じて選択可能であるが、本発明は、シート状対象物に取付可能なＲＦＩＤタグである。通信距離は、数mm程度のものから数mのものがあり、これも用途に応じて使い分けられている。
【０００４】
ＲＦＩＤタグを商品等の管理対象物に取り付けるときには、何らかの取付手段が必要となる。
【０００５】
例えば、下記特許文献１では、ＩＣチップ等の記録担体を第１樹脂層及び第２樹脂層の間に挟持、密閉した状態で記録担体ユニットを構成する。そして、この記録担体ユニットを、第１樹脂層側から各種情報が表示された基材の片面に対して配設している。管理対象物、例えば被服に対して「縫い付けて装着」（［００２０］）している。その他、従来技術としてホッチキス針による固定も紹介されている。
【特許文献１】特開２００５−３３１９１７
【発明の開示】
【発明が解決しようとする課題】
【０００６】
上記従来技術では、縫糸やホッチキス針を使用するが、対象物によってはそれが不適当な場合も多い。例えば、下記実施例で使用するようなシート状対象物、例えば書類ホルダなどにはこれらの取付手段は使用することができない。
【０００７】
本発明は、この問題点に鑑みて行われたもので、書類ホルダなどのシート状対象物に対して、簡単に取り付け取り外しができ、リーダー・ライタによる読み取りや書き込みも容易なＲＦＩＤタグを提供することを目的とする。
【課題を解決するための手段】
【０００８】
本発明のシート状対象物に取付可能なＲＦＩＤタグは、タグを形成する本体と、前記本体に取り付けられたクリップとＩＣチップからなり、前記本体と前記クリップとの間でシート状対象物の挟み込みが可能であることを特徴とする。
【発明の効果】
【０００９】
本発明によれば、書類ホルダなどのシート状対象物に対して、簡単に取り付け取り外しができ、リーダー・ライタによる読み取りや書き込みも容易である。
【発明を実施するための最良の形態】
【００１０】
ＩＣチップは、本体に設けられたＩＣチップの収納室に収容されたものとすることが好ましい。
【００１１】
クリップは、例えば、交差して楕円を形成する部分とその両末端からなる針金を使用することができる。その他のそれ自体公知のクリップを使用することもできる。
【００１２】
このクリップを本体に取り付けるため、本体は、上下に２分割したブロックとしておき、針金を組み込んだ後で、上下ブロックを一体化させるのが好ましい。
【００１３】
さらに好ましくは、上ブロックが、上側表面部と、この上側表面部の前方中央から下方に延びる前方垂下部と、上側表面部の左右後方から下方に延びる後方垂下部からなり、下ブロックが、上方中央に窪みを有する本体部と、この本体部の左右から起立する２つの突起部からなり、前記前方垂下部には、前方側に小さな窪みが形成され、前記左右後方垂下部にも、それぞれ前方側に小さな窪みが形成され、前記本体部にはクリップを形成する針金の両末端が収納可能な通路が形成されており、前記本体部の中央正面には、前記前方垂下部の窪みと係合可能な抜け止めが形成され、前記２つの突起部の双方にも、前記後方垂下部の窪みと係合可能な抜け止めが形成されている。
【００１４】
ＩＣチップを収容するため、前記上側表面部に前記ＩＣチップの収納室となる内部空間を形成することが好ましい。タグをシート状対象物に取り付けたとき、上側表面部が外部正面に現れるので、リーダー・ライタによる読み取りや書き込みが容易となるからである。
【００１５】
その他、収納室を設けず、接着剤等によりＩＣチップを前記上側表面部に貼り付けることもできる。
【実施例１】
【００１６】
以下、添付の図面に基づき、本発明の実施例を説明する。
【００１７】
図１（ａ）（ｂ）は、本願発明の一実施例にかかるＲＦＩＤタグの使用状態を示す斜視図である。これは営業秘密等を綴じ込んだ書類ホルダにＲＦＩＤタグを取り付けた状態を示している。（ａ）は厚型書類ホルダＨ１の背面側、（ｂ）は薄型書類ホルダＨ２の上面側にそれぞれ取り付けている。後記するとおり、ＲＦＩＤタグの外部側表面にＩＣチップが組み込まれており、外部からリーダー・ライタで読み取りや書き込みするのに便利である。
【００１８】
図２は、ＲＦＩＤタグ１の拡大図で、（ａ）は正面側、（ｂ）は背面側から見た斜視図である。この図から明らかなように、このＲＦＩＤタグは、板状のプラスチックブロック上下２部品２，３を組み合わせてなり、取付対象物に取り付けるためのクリップ４を有する。
【００１９】
図３は、図２の分解斜視図である。上ブロック２は、上側表面部２１と、この上側表面部２１の前方中央から下方に延びる前方垂下部２２と、上側表面部２１の左右後方から下方に延びる後方垂下部２３，２３からなる。
【００２０】
上側表面部２１にはＩＣチップ５を収納可能な収納室２４，２４が形成されている。この収納室２４，２４は、外部からＩＣチップ５を挿入できるような通路を持った内部空間である。ＩＣチップ５を挿入した後にはこの通路は埋めてしまうことが好ましい。
【００２１】
前方垂下部２２は、図５及び図６に示すように、途中で段差が形成されており、細くなった先端部２２１には前方側に小さな窪み２２２が形成されている。
【００２２】
後方垂下部２３，２３にも、図５及び図６に示すように、それぞれ前方側に小さな窪み２３１が形成されている。
【００２３】
下ブロック３は、図３、図４、図６に示すように、上方中央に窪み３１を有する本体部３２と、この本体部３２の左右から起立する２つの突起部３３，３３を有する。
【００２４】
本体部３２には、クリップ４を形成する針金の両末端４１が収納可能な通路３４，３４が形成されている。また、本体部３２の中央正面には、前記前方垂下部の窪み２２２と係合可能な抜け止め３５が形成されている。
【００２５】
２つの突起部３３の双方にも、前記後方垂下部２３の窪み２３１と係合可能な抜け止め３６が形成されている。
【００２６】
クリップ４を形成する針金は、図４に最もよく現れているように、交差して楕円を形成する部分とその両末端４１，４１からなる。両末端は、前記したとおり、本体部の通路３４に収容されて、本体部３２と一体化される。
【００２７】
上下ブロック２，３を一体化すると、図６に示すように、前方垂下部の窪み２２２と本体部の抜け止め３５が係合し、後方垂下部の窪み２３１と本体部の抜け止め３６が係合する。一種の地獄嵌めとなり、分離は困難である。
【００２８】
このＲＦＩＤタグ１を書類ホルダＨ１，Ｈ２（図１）に取り付けるには、ＲＦＩＤタグの本体部３２とクリップ４の間にホルダの表紙を挟み込むだけでよい。取り外すには、ＲＦＩＤタグを指で摘んで引き剥がせばよい。
【００２９】
このＲＦＩＤタグの使用法は、従来のように、外部側表面に収容されたＩＣチップの情報をリーダーで読みとったり、ライタで書き込んだりするだけである。
【図面の簡単な説明】
【００３０】
【図１】図１（ａ）（ｂ）は、本願発明の一実施例にかかるＲＦＩＤタグの使用状態を示す斜視図である。
【図２】ＲＦＩＤタグの拡大図で、（ａ）は正面側、（ｂ）は背面側から見た斜視図である。
【図３】図２の分解斜視図である。
【図４】下ブロックの（ａ）正面図、（ｂ）背面図、（ｃ）側面図、（ｄ）平面図、（ｆ）底面図である。
【図５】上ブロックの（ａ）正面図、（ｂ）背面図、（ｃ）側面図、（ｄ）平面図、（ｆ）底面図である。
【図６】ＲＦＩＤタグの断面図で、（ａ）は結合前、（ｂ）は結合後である。
【符号の説明】
【００３１】
１     ＲＦＩＤタグ
２     上ブロック
２１   上側表面部
２２   前方垂下部
２２２  窪み
２３   後方垂下部
２３１  窪み
３     下ブロック
３２   本体部
３３   突起部
３４   通路
３５    抜け止め
３６    抜け止め
４     クリップ
４１   両末端
５     ＩＣチップ
【図１】
2009126030.tif 000003
【図２】
2009126030.tif 000004
【図３】
2009126030.tif 000005
【図４】
2009126030.tif 000006
【図５】
2009126030.tif 000007
【図６】
2009126030.tif 000008